【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
オーディオ信号を増幅して出力する１又は複数のオーディオ装置及び無線によるネットワーク経由で当該オーディオ装置が出力するオーディオ信号の音量又は音質を設定する携帯端末装置からなるオーディオシステムにおいて、
前記携帯端末装置は、周囲の音波を集音するマイク部と、前記マイク部が集音した音波に基づいて前記オーディオ装置が増幅するオーディオ信号の音量又は音質を設定し、当該設定したオーディオ信号の音量又は音質の情報を前記オーディオ装置に送信する送信部とを備え、
前記オーディオ装置は、オーディオ信号を増幅する増幅部と、前記増幅部によるオーディオ信号の音量又は音質を調整する制御部と、オーディオ信号の音量又は音質の設定の情報を前記携帯端末装置から受信する受信部とを備え、
前記携帯端末装置は、前記オーディオ装置がオーディオを再生していない場合に前記マイク部が集音する周囲の音波及び前記オーディオ装置がオーディオを再生している場合に前記マイク部が集音する周囲の音波に基づいて前記オーディオ装置が増幅するオーディオ信号の音量又は音質を設定し、
前記制御部は、前記受信部が受信した前記オーディオ信号の音量又は音質の設定の情報に基づいてオーディオ信号の音量又は音質を調整するよう前記増幅部を制御することを特徴とするオーディオシステム。
【請求項２】
請求項１記載のオーディオシステムにおいて、
前記携帯端末装置は、前記マイク部が集音した音波に基づいて前記オーディオ装置が出力するオーディオ信号の設定を環境音を考慮した音量又は音質に設定することを特徴とするオーディオシステム。
【請求項３】
請求項１記載のオーディオシステムにおいて、
前記携帯端末装置は、前記マイク部が集音した音波に基づいて前記オーディオ装置が出力するオーディオ信号の設定を屋外漏洩レベルを考慮した音量に設定することを特徴とするオーディオシステム。
【請求項４】
オーディオ信号を増幅して出力するオーディオ装置において、
オーディオ信号を増幅する増幅部と、前記増幅部によるオーディオ信号の音量又は音質を設定する制御部とを備え、
前記制御部は、前記オーディオ装置がオーディオを再生していない場合に携帯端末装置のマイク部が集音する周囲の音波及び前記オーディオ装置がオーディオを再生している場合に携帯端末装置のマイク部が集音する周囲の音波に基づいてオーディオ信号の音量又は音質を設定する前記携帯端末装置から無線によるネットワーク経由で前記受信部が受信した前記オーディオ信号の音量又は音質の設定の情報に基づいて、前記オーディオ装置が出力するオーディオ信号の音量又は音質を調整するよう前記増幅部を制御することを特徴とするオーディオ装置。
【請求項５】
請求項４記載のオーディオ装置において、
前記制御部は、前記マイク部が集音した音波に基づいて前記オーディオ装置が出力するオーディオ信号を環境音を考慮した音量又は音質に調整するよう前記増幅部を制御することを特徴とするオーディオ装置。
【請求項６】
請求項４記載のオーディオ装置において、
前記制御部は、前記マイク部が集音した音波に基づいて前記オーディオ装置が出力するオーディオ信号を屋外漏洩レベルを考慮した音量に調整するよう前記増幅部を制御することを特徴とするオーディオ装置。
【手続補正２】
【補正対象書類名】明細書
【補正対象項目名】０００２
【補正方法】変更
【補正の内容】
【０００２】
現在、無線によるネットワークシステムを用いて、オーディオ信号を再生する再生装置から無線ネットワークによってオーディオ信号を受信し、当該受信したオーディオ信号を増幅して出力するオーディオ装置が知られている（例えば、特許文献１参照）。また、近年、携帯電話などの携帯端末装置と前述したようなオーディオ装置を無線ネットワークで接続し、携帯端末装置から送信されたオーディオ信号を当該オーディオ装置が受信し、オーディオ信号を増幅してスピーカから出力するオーディオ装置及び携帯端末装置からなるオーディオシステムが知られている。このような従来のオーディオシステムは、携帯端末装置を操作することによって、オーディオ装置が出力するオーディオ信号の曲の選択や音量の調整を遠隔で任意に変更することができる。
【手続補正３】
【補正対象書類名】明細書
【補正対象項目名】０００８
【補正方法】変更
【補正の内容】
【０００８】
本願発明は、オーディオ信号を増幅して出力する１又は複数のオーディオ装置及び無線によるネットワーク経由で当該オーディオ装置が出力するオーディオ信号の音量又は音質を設定する携帯端末装置からなるオーディオシステムにおいて、前記携帯端末装置は、周囲の音波を集音するマイク部と、前記マイク部が集音した音波に基づいて前記オーディオ装置が増幅するオーディオ信号の音量又は音質を設定し、当該設定したオーディオ信号の音量又は音質の情報を前記オーディオ装置に送信する送信部とを備え、前記オーディオ装置は、オーディオ信号を増幅する増幅部と、前記増幅部によるオーディオ信号の音量又は音質を調整する制御部と、オーディオ信号の音量又は音質の設定の情報を前記携帯端末装置から受信する受信部とを備え、前記携帯端末装置は、前記オーディオ装置がオーディオを再生していない場合に前記マイク部が集音する周囲の音波及び前記オーディオ装置がオーディオを再生している場合に前記マイク部が集音する周囲の音波に基づいて前記オーディオ装置が増幅するオーディオ信号の音量又は音質を設定し、前記制御部は、前記受信部が受信した前記オーディオ信号の音量又は音質の設定の情報に基づいてオーディオ信号の音量又は音質を調整するよう前記増幅部を制御することを特徴とする。
【手続補正４】
【補正対象書類名】明細書
【補正対象項目名】０００９
【補正方法】変更
【補正の内容】
【０００９】
また、本願発明は、オーディオ信号を増幅して出力するオーディオ装置において、オーディオ信号を増幅する増幅部と、前記増幅部によるオーディオ信号の音量又は音質を設定する制御部とを備え、前記制御部は、前記オーディオ装置がオーディオを再生していない場合に携帯端末装置のマイク部が集音する周囲の音波及び前記オーディオ装置がオーディオを再生している場合に携帯端末装置のマイク部が集音する周囲の音波に基づいてオーディオ信号の音量又は音質を設定する前記携帯端末装置から無線によるネットワーク経由で前記受信部が受信した前記オーディオ信号の音量又は音質の設定の情報に基づいて、前記オーディオ装置が出力するオーディオ信号の音量又は音質を調整するよう前記増幅部を制御することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００３７
【補正方法】変更
【補正の内容】
【００３７】
このように、ステップＳ６による「環境音及び環境音を含むオーディオ聴取レベル及び周波数別のレベル分布を考慮した音量及び音質」の設定により、例えば、ステップＳ３において、増幅部２５によるオーディオ信号の増幅値及び音質を環境音聴取レベル及び周波数帯域別のレベル分布に応じて変化させたにも拘わらず、オーディオ装置２と携帯端末装置１を保持したユーザとの距離が長い場合や、オーディオ装置２と携帯端末装置１を保持したユーザとの間に障害物が存在し、ユーザに到達するオーディオ信号の音量が小さい場合や音質が変化した場合でも、「環境音を含むオーディオ信号聴取レベル」と「環境音聴取レベル」との差が予め定めた値より小さい場合、つまり、ユーザに到達するオーディオ信号が想定より小さい場合は、環境音聴取レベルに応じて増大させるオーディオ信号の増幅値を更に大きくし、また、「環境音の周波数別のレベル分布」と「環境音を含む周波数別のレベル分布」のうち、レベルの差が大きい特定の周波数帯域の出力レベルを増大することにより、オーディオ装置２と携帯端末装置１を保持したユーザとの距離や障害物によってオーディオ信号が聞き辛くなったり、音質が変化してしまうことを防止することができる。
【手続補正８】
【補正対象書類名】明細書
【補正対象項目名】００３９
【補正方法】変更
【補正の内容】
【００３９】
図４は、本実施例のオーディオシステムにおいて、オーディオ装置２から出力するオーディオ信号についての屋外漏洩レベルを考慮した音量自動設定を行う場合の携帯端末装置１及びオーディオ装置２の動作を示すフローチャート図である。
なお、本実施例においては、携帯端末装置１のアプリケーション記録部１６に「屋外漏洩レベルを考慮した音量自動設定に関するアプリケーションソフトウェア」が予め記録されているものとする。
【手続補正９】
【補正対象書類名】明細書
【補正対象項目名】００４４
【補正方法】変更
【補正の内容】
【００４４】
以上のように本実施例のオーディオシステムは、ユーザが携帯端末装置１を保持した状態で、アプリケーション記録部１６に記録されている「屋外漏洩レベルを考慮した音量自動設定に関するアプリケーションソフトウェア」を起動することにより、「オーディオを再生していない場合の屋外レベル」と「オーディオを再生中の屋外レベル」を検出し、屋外の近隣に迷惑をかけない音量レベルまでオーディオ信号の増幅部２５による増幅値を下げるように自動的に調整することにより、近隣への騒音を防止した適正な音量にすることができる。
【手続補正１０】
【補正対象書類名】明細書
【補正対象項目名】００５１
【補正方法】変更
【補正の内容】
【００５１】
本実施例のオーディオシステムは、「環境音を考慮した音量及び音質自動設定に関するアプリケーションソフトウェア」及び「屋外漏洩レベルを考慮した音量自動設定に関するアプリケーションソフトウェア」を携帯端末装置１のアプリケーション記録部１６に記録する構成としたが、例えば、これらのアプリケーションソフトウェアをオーディオ装置２に記録する構成とし、携帯端末装置１による音響の測定結果に応じて、オーディオ装置２側で音量及び音質を調整する構成としても良いし、また、携帯端末装置１又はオーディオ装置２と情報通信が可能な他の装置に予め記録されているソフトウェアを読み出して音量及び音質制御を行う構成としても良い。